(57)【要約】【課題】  ２段ロック機能を有するスライドレールアセンブリを提供すること。【解決手段】  スライドレールアセンブリは第１のレール、第２のレール、第１のロック機構、第２のロック機構及び操作部材を含む。第２のレールは第１のレールに対して変位させることができる。第１のロック機構及び第２のロック機構は第２のレールを２つの所定の位置のいずれかで位置するように構成されている。操作部材は第１のロック機構及び第２のロック機構を操作することでロック機構をロック状態からロック解除状態にするのに用いることができる。【選択図】  図２
2019093103.tif 000002
【特許請求の範囲】
【請求項１】
前端及びブロック部を有する第１のレールと、
前記第１のレールに対して変位可能な第２のレールであって、該第２のレールは第１の部分及び第２の部分を有する、第２のレールと、
前記第２のレールの第１の位置に配置される第１のロック機構と、
前記第２のレールの第２の位置に配置される第２のロック機構と、
前記第１のロック機構及び前記第２のロック機構に接続される操作部材と、
を含むスライドレールアセンブリであって、
前記第２のレールが引っ込め位置から前記第１のレールに対して第１の方向に変位された後で第１の所定の位置に到達すると、前記第１のロック機構は前記第１のレールのブロック部にロックされるとともに、前記第２のレールの第１の部分が前記第１のレールの前端を越えて延在し、
前記第１のロック機構は、前記操作部材の操作を通じて前記ブロック部からロック解除することができ、それにより前記第２のレールを前記第１のレールに対して前記第１の所定の位置から第２の所定の位置に前記第１の方向に動かすことができ、前記第２のレールが前記第２の所定の位置に到達すると、前記第２のロック機構が前記第１のレールのロック部にロックされ、前記第２のレールの第２の部分が前記第１のレールの前端を越えて延在し、
前記第１のロック機構及び前記第２のロック機構は前記操作部材の操作を通じてロック状態からロック解除状態に駆動されて、前記第２のレールが前記第１のレールに対して第２の方向に引っ込めることができるようにするよう構成されている、スライドレールアセンブリ。
【請求項２】
前記第１のレールは後端を有し、前記ブロック部は前記前端と該後端との間に位置するとともに前記第１のレールの前端に隣接する、請求項１に記載のスライドレールアセンブリ。
【請求項３】
前記第１のロック機構は第１の要素及び第２の要素を含み、該第１の要素及び該第２の要素は前記第２のレールに枢結され、
前記スライドレールアセンブリは第１のベースをさらに含み、該第１のベースは、前記第１の要素及び前記第２の要素に弾性力をそれぞれ提供する第１の弾性部及び第２の弾性部を含む、請求項１に記載のスライドレールアセンブリ。
【請求項４】
前記第１の要素は第１のガイド部を含み、該第１のガイド部は傾斜面及び湾曲面の一方であるとともに、前記第１の要素が前記ブロック部の第１の側を越えて前記ブロック部の第２の側へと第１の方向に移動できるようにする、請求項３に記載のスライドレールアセンブリ。
【請求項５】
前記第２のレールが前記第１の所定の位置にある場合、前記第１の要素及び前記第２の要素は前記ブロック部の２つの側にそれぞれ位置するとともに前記ロック状態にあり、前記第１の要素及び前記第２の要素は前記操作部材の操作を通じて前記ロック状態から前記ロック解除状態になって前記第２のレールが前記第１のレールに対して前記第１の所定の位置から前記第２の所定の位置の方に前記第１の方向に変位できるようにするよう構成されている、請求項４に記載のスライドレールアセンブリ。
【請求項６】
前記第２のロック機構は第３の要素を含み、該第３の要素は前記第２のレールに枢結され、
前記スライドレールアセンブリは第２のベースをさらに含み、該第２のベースは前記第３の要素に弾性力を提供する第３の弾性部を含み、
前記第３の要素はガイド構造を含み、該ガイド構造は傾斜面及び湾曲面の一方であるとともに、前記第３の要素が前記ブロック部の第１の側を越えて前記ブロック部の第２の側へと前記第１の方向に移動できるようにし、
前記第２のレールが前記第２の所定の位置にある場合、前記第３の要素は前記ブロック部の第２の側に位置するとともに前記ロック状態にある、請求項５に記載のスライドレールアセンブリ。
【請求項７】
前記第３の要素、前記第２の要素及び前記第１の要素は前記操作部材の操作を通じて前記ロック状態から前記ロック解除状態になって前記第２のレールが前記第１のレールに対して前記第２の所定の位置から前記第２の方向に引っ込めることができるようにするよう構成されている、請求項６に記載のスライドレールアセンブリ。
【請求項８】
前記第２の要素はガイド部位を含み、該ガイド部位は、前記第２の要素が前記ブロック部の第２の側を越えて前記ブロック部の第１の側に移動するのを助けるために傾斜面及び湾曲面の一方であり、
前記第１の要素は第２のガイド部をさらに含み、該第２のガイド部は、前記第１の要素が前記ブロック部の第２の側を越えて移動するのを助けるために傾斜面及び湾曲面の一方である、請求項７に記載のスライドレールアセンブリ。
【請求項９】
第３のレールをさらに含み、前記第１のレールは該第３のレールと前記第２のレールとの間で可動に取り付けられる、請求項１に記載のスライドレールアセンブリ。
【請求項１０】
スライドレールと、
前記スライドレールの２つの異なる位置にそれぞれ配置される第１のロック機構及び第２のロック機構と、
前記第１のロック機構及び前記第２のロック機構を操作して前記第１のロック機構及び前記第２のロック機構をロック状態からロック解除状態にするための操作部材と、
を含むレールキット。
【発明の詳細な説明】
【技術分野】
【０００１】
本発明はスライドレールに関し、より具体的には２段ロック機能を備えるスライドレールアセンブリに関する。
【背景技術】
【０００２】
一般に、スライドレールアセンブリは第１のレールと、第１のレールに対して変位可能な第２のレールとを含む。第２のレールが第１のレールに対して特定方向に変位された後で所定の位置に到達すると、第２のレールが第１のレールに対してその特定方向にさらに変位するのを防止するために第２のレールと第１のレールとの間にブロック構造が通常存在する。それにより、第２のレールが所定の位置で維持される。
【０００３】
技術の進展に伴い、ブロック機構によって第２のレールを第１のレールに対して所定の位置で維持できるだけでなく、操作部材によりブロック機構の機能を解除して第２のレールを第１のレールに対して所定の方向にさらに変位させることができる同様の製品が浮上している。例えば、特許文献１には外側部材（２０）と、内側部材（３０）と、ストップ部材（５０）と、枢動部材（７０）とを含み、枢動部材（７０）は、内側部材（３０）が外側部材（２０）に対して所定の位置にある場合、ストップ部材（５０）が枢動部材（７０）をブロックすることにより内側部材（３０）が外側部材（２０）に対して不意に変位するのを防止するように内側部材（３０）に枢結されている。
【先行技術文献】
【特許文献】
【０００４】
【特許文献１】米国特許第６４１２８９１号明細書
【特許文献２】米国特許第６９３５７１０号明細書
【特許文献３】米国特許第６８５１７７４号明細書
【発明の概要】
【発明が解決しようとする課題】
【０００５】
しかしながら、市場の要求は変化するため、関連業界においてスライドレールアセンブリに少なくとも２段ロック機構を備えることにより異なるスライドレール製品を考え出すことが重要な課題となっている。
【課題を解決するための手段】
【０００６】
本発明は２段ロック機能を有するスライドレールアセンブリを提供する。
【０００７】
本発明の一態様によれば、スライドレールアセンブリは第１のレール、第２のレール、第１のロック機構、第２のロック機構及び操作部材を含む。第１のレールは前端及びブロック部を有する。第２のレールは第１のレールに対して変位可能であるとともに、第１の部分及び第２の部分を有する。第１のロック機構は第２のレールの第１の位置に配置され、第２のロック機構は第２のレールの第２の位置に配置される。操作部材は第１のロック機構及び第２のロック機構に接続される。第２のレールが引っ込め位置（retracted  position）から第１のレールに対して第１の方向に変位された後で第１の所定の位置に到達すると、第１のロック機構は第１のレールのブロック部にロックされるとともに、第２のレールの第１の部分が第１のレールの前端を越えて延在する。第１のロック機構は、操作部材の操作を通じてブロック部からロック解除することができ、それにより第２のレールを第１のレールに対して第１の所定の位置から第２の所定の位置に第１の方向に動かすことができる。第２のレールが第２の所定の位置に到達すると、第２のロック機構が第１のレールのロック部にロックされるとともに、第２のレールの第２の部分が第１のレールの前端を越えて延在する。第１のロック機構及び第２のロック機構は操作部材の操作を通じてロック状態からロック解除状態に駆動されて、第２のレールが第１のレールに対して第２の方向に引っ込めることができるようにするよう構成されている。
【０００８】
第１のレールは後端を有し、ブロック部は前端と該後端との間に位置することが好ましい。
【０００９】
ブロック部は第１のレールの前端に隣接することが好ましい。
【００１０】
第１のロック機構は第１の要素及び第２の要素を含み、該第１の要素及び該第２の要素は第２のレールに枢結されることが好ましい。
【００１１】
スライドレールアセンブリは第１のベースをさらに含むことが好ましい。第１のベースは、第１の要素及び第２の要素に弾性力をそれぞれ提供する第１の弾性部及び第２の弾性部を含む。
【００１２】
第１の要素は第１のガイド部を含み、第１のガイド部によりブロック部の第１の側を越えてブロック部の第２の側へと第１の方向に移動できることが好ましい。
【００１３】
第１のガイド部は傾斜面又は湾曲面であることが好ましい。
【００１４】
第２のレールが第１の所定の位置にある場合、第１の要素及び第２の要素はブロック部の２つの側にそれぞれ位置するとともに、それ故にロック状態にあることが好ましい。
【００１５】
第１の要素及び第２の要素は操作部材の操作を通じてロック状態からロック解除状態になって第２のレールが第１のレールに対して第１の所定の位置から第２の所定の位置の方に第１の方向に変位できるようにすることができることが好ましい。
【００１６】
第２のロック機構は第２のレールに枢結される第３の要素を含むことが好ましい。
【００１７】
スライドレールアセンブリは第２のベースをさらに含むことが好ましい。第２のベースは第３の要素に弾性力を提供する第３の弾性部を含む。
【００１８】
第３の要素はガイド構造を含み、該ガイド構造によりブロック部の第１の側を越えてブロック部の第２の側へと第１の方向に移動できることが好ましい。
【００１９】
ガイド構造は傾斜面又は湾曲面であることが好ましい。
【００２０】
第２のレールが第２の所定の位置にある場合、第３の要素はブロック部の第２の側に位置するとともに、それ故にロック状態にあることが好ましい。
【００２１】
第３の要素、第２の要素及び第１の要素は操作部材の操作を通じてロック状態からロック解除状態になって第２のレールが第１のレールに対して第２の所定の位置から第２の方向に引っ込めることができるようにすることが好ましい。
【００２２】
第２の要素はガイド部位を含み、該ガイド部位は、第２の要素がブロック部の第２の側を越えてブロック部の第１の側に移動するのを助けるために傾斜面又は湾曲面であることが好ましい。
【００２３】
第１の要素は第２のガイド部をさらに含み、該ガイド部は、第１の要素がブロック部の第２の側を越えて移動するのを助けるために傾斜面又は湾曲面である。
【００２４】
スライドレールアセンブリは第３のレールをさらに含み、第１のレールは第３のレールと第２のレールとの間で可動に取り付けられることが好ましい。
【００２５】
本発明の別の態様によれば、レールキットはスライドレール、第１のロック機構、第２のロック機構及び操作部材を含む。第１のロック機構及び第２のロック機構はスライドレールの２つの異なる位置にそれぞれ配置される。操作部材は第１のロック機構及び第２のロック機構を操作して第１のロック機構及び第２のロック機構をロック状態からロック解除状態にするように構成されている。
【図面の簡単な説明】
【００２６】
【図１】図１は、本発明の一実施形態に係る、一対のスライドレールを通じて物体がどのようにラックに取り付けられるかを示す斜視図である。
【図２】図２は、本発明の一実施形態に係るスライドレールアセンブリの分解斜視図である。
【図３】図３は、本発明の一実施形態に係るスライドレールアセンブリの組み立て斜視図である。
【図４】図４は、本発明の一実施形態に係るスライドレールアセンブリのスライドレールの１つの斜視図である。
【図５】図５は、本発明の一実施形態に係る引っ込められた状態のスライドレールアセンブリを示す。
【図６】図６は、本発明の一実施形態に係る、スライドレールアセンブリの第２のレールが第１のレールに対して第１の方向に変位されるのを示す。
【図７】図７は、本発明の一実施形態に係る、スライドレールアセンブリの第２のレールが第１のレールに対して第１の方向にさらに変位されるのを示す。
【図８】図８は、本発明の一実施形態に係る、スライドレールアセンブリの第２のレールが第１のレールに対して第１の方向に変位された後で第１の所定の位置に到達し、第１のロック機構が第１のレールのブロック部にロックされているのを示す。
【図９】図９は、本発明の一実施形態に係る、操作部材により第１のレールのブロック部から第１のロック機構がまだロック解除されていない状態でスライドレールアセンブリの第２のレールが第１の所定の位置に到達するのを示す。
【図１０】図１０は、本発明の一実施形態に係る、スライドレールアセンブリの第２のレールが第１のレールに対して第１の方向にさらに変位されるのを示す。
【図１１】図１１は、本発明の一実施形態に係る、スライドレールアセンブリの第２のレールが第１のレールに対して第１の方向にさらに変位されるのを示す。
【図１２】図１２は、本発明の一実施形態に係る、スライドレールアセンブリの第２のレールが第１のレールに対して第１の方向に変位された後で第２の所定の位置に到達し、第２のロック機構が第１のレールのブロック部にロックされるのを示す。
【図１３】図１３は、本発明の一実施形態に係る、第１のレールに対して第２の方向にスライドレールアセンブリの第２のレールを引っ込める第１の操作モードを示し、第１の操作モードは操作部材を操作して第２のロック機構及び第１のロック機構の関連要素をロック状態からロック解除状態にすることを伴う。
【図１４】図１４は、本発明の一実施形態に係る、第１のレールに対して第２の方向にスライドレールアセンブリの第２のレールを引っ込める第２の操作モードを示し、第２の操作モードは第２のレールを所望により引っ込めることを伴う。
【図１５】図１５は、本発明の一実施形態に係る、スライドレールアセンブリの第２のレールが第１のレールに対して第２の方向にさらに引っ込められるのを示す。
【図１６】図１６は、本発明の一実施形態に係る、スライドレールアセンブリの第２のレールが第１のレールに対して第２の方向にさらに引っ込められることにより第１のロック機構の要素を所定の状態にすることを示す。
【図１７】図１７は、本発明の一実施形態に係る第１のロック機構の要素が別の状態になることを示す。
【発明を実施するための形態】
【００２７】
図１を参照して、物体２０は本発明の一実施形態に係る一対のスライドレールアセンブリ２２を通じてラック２４の複数のポスト（例えば一対の第１のポスト２４ａ及び一対の第２のポスト２４ｂ）に取り付けられている。各スライドレールアセンブリ２２は第１のレール２６及び第２のレール２８を含み、好ましくは第３のレール３０も含む。第１のレール２６は第３のレール３０と第２のレール２８の間で可動に取り付けられる。各第３のレール３０は対応する第１のポスト２４ａ及び対応する第２のポスト２４ｂにそれぞれ第１のブラケット３２ａ及び第２のブラケット３２ｂを通じて取り付けられる。第２のレール２８は、第２のレール２８により物体２０をラック２４から引き出し、その後にラック２４内に押して戻すことができるように物体２０を保持するのに用いられる。
【００２８】
図２及び図３を参照して、第１のブラケット３２ａ及び第２のブラケット３２ｂはスライドレールアセンブリ２２の第３のレール３０の２つの部分（例えば前部及び後部）にそれぞれ配置され、第３のレール３０は第１の通路３４を定義する。
【００２９】
第１のレール２６は第３のレール３０の第１の通路３４内で可動に取り付けられる。第１のレール２６は第１の壁２６ａ、第２の壁２６ｂ及び第１の壁２６ａと第２の壁２６ｂとの間に接続される側壁２６ｃを含む。第１の壁２６ａ、第２の壁２６ｂ及び側壁２６ｃは共に第２の通路３６を定義する。より具体的には、第１のレール２６は前端３８、後端４０及びブロック部４２を有する。ブロック部４２は前端３８と後端４０との間にあり、第２の通路３６内で、好ましくは第１のレール２６の前端３８に隣接することが好ましい。ブロック部４２は第１のレール２６の側壁２６ｃと一体化された突出要素であり得るか又はブロック部４２が第１のレール２６の側壁２６ｃから突出するようにブロック部４２を含む付属部品４４をリベット、溶接又はネジにより第１のレール２６に接続してもよいが本発明はこの点で限定されない。第２のレール２８は第１のレール２６の第２の通路３６内で可動に取り付けられる。
【００３０】
図２及び図４に示すように、第２のレール２８は第１の壁２８ａ、第２の壁２８ｂ及び第１の壁２８ａと第２の壁２８ｂとの間に接続される側壁２８ｃを含む。スライドレールアセンブリ２２は第１のロック機構４６、第２のロック機構４８及び操作部材５０をさらに含む。第１のロック機構４６及び第２のロック機構４８は第２のレール２８の第１の位置及び第２の位置にそれぞれ配置される。例えば、第１のロック機構４６は第２のロック機構４８よりも第２のレール２８の前端に近く、第２のロック機構４８は第１のロック機構４６よりも第２のレール２８の後端の近い。しかしながら、実際にはこれらの２つのロック機構は必ずしもそのように配置されていなくてもよい。より具体的には、第１のロック機構４６及び第２のロック機構４８は第２のレール２８の側壁２８ｃ上に位置するとともに互いに離間される。第２のレール２８（ここではスライドレールともいう）、第１のロック機構４６、第２のロック機構４８及び操作部材５０はレールキットを構成する。
【００３１】
第１のロック機構４６は第１の要素５２及び第２の要素５４を含む。第１の要素５２及び第２の要素５４はそれぞれ第１のシャフト５６及び第２のシャフト５８により第２のレール２８の側壁２８ｃに枢結される。
【００３２】
第２のロック機構４８は第３の要素６０を含み、好ましくは第４の要素６２も含む。第３の要素６０及び第４の要素６２はそれぞれ第３のシャフト６４及び第４のシャフト６６により第２のレール２８の側壁２８ｃに枢結される。
【００３３】
スライドレールアセンブリ２２又はレールキットは第１のベース６８及び第２のベース７０をさらに含むことが好ましい。第１のベース６８は第１の要素５２及び第２の要素５４にそれぞれ弾性力を提供するために第１の弾性部７２ａ及び第２の弾性部７２ｂを含む。第２のベース７０は第３の要素６０及び第４の要素６２にそれぞれ弾性力を提供するために第３の弾性部７４ａ及び第４の弾性部７４ｂを含む。
【００３４】
操作部材５０は第１のロック機構４６及び第２のロック機構４８を操作するように構成されている。例えば、操作部材５０は、第１のロック機構４６の第１の要素５２及び第２の要素５４並びに第２のロック機構４８の第３の要素６０を操作するのに用いることができる。ここでは、一例として、操作部材５０は第２のレール２８に配置され、第１のロック機構４６の第１の要素５２及び第２の要素５４並びに第２のロック機構４８の第３の要素６０に接続されている。
【００３５】
より具体的には、操作部材５０は延在部５０ａを含み、延在部５０ａは第２のレール２８の長さと同じ方向に延びる所定の長さを有する。操作部材５０は延在部５０ａに接続される操作部５０ｂをさらに含むことが好ましい。延在部５０ａは、延在部５０ａの長さに沿って連続的に配置される第１の駆動構造７６ａ、第２の駆動構造７６ｂ及び第３の駆動構造７６ｃ等の複数の駆動構造を含む。操作部材５０は第１の要素５２、第２の要素５４及び第３の要素６０をそれぞれ駆動構造７６ａ、７６ｂ及び７６ｃを通じて操作する。
【００３６】
第１の要素５２は第１のガイド部７８及び第２のガイド部８０を含むことが好ましい。第１のガイド部７８は傾斜面又は湾曲面であり、第２のガイド部８０は傾斜面又は湾曲面である。第２の要素５４はガイド部位８２を含み、ガイド部位８２は傾斜面又は湾曲面であることが好ましい。第３の要素６０はガイド構造８４を含み、ガイド構造８４は傾斜面又は湾曲面であることが好ましい。
【００３７】
引っ込められた状態のスライドレールアセンブリ２２を示す図５を参照して、第１のレール２６は第３のレール３０に対して引っ込められ、第２のレール２８は第１のレール２６に対して引っ込め位置Ｒにある。
【００３８】
図６を参照して、第２のレール２８が第１のレール２６に対して第１の方向Ｄ１（例えば開く方向）に引っ込め位置Ｒから変位され、第２のレール２８が伸長プロセスの所定の段階を経る間、第１の要素５２の第１のガイド部７８は第１のレール２６のブロック部４２の第１の側Ｌ１と接触する。
【００３９】
図７に示すように、第２のレール２８が第１の方向Ｄ１にさらに変位されると、第１の要素５２は、第１のガイド部７８とブロック部４２の第１の側Ｌ１との間の接触により所定の角度傾斜する。この傾斜により、第１の要素５２は、第１のベース６８の第１の弾性部７２ａが所定量の弾性エネルギーを溜めるよう第１のレール２６のブロック部４２の第１の側Ｌ１を越えて第１の方向Ｄ１に移動できる。
【００４０】
図８に示すように、第２のレール２８が第１のレール２６に対して第１の方向Ｄ１にさらに変位された後、スライドレールアセンブリ２２は第１の伸長状態になる。第１の伸長状態では、第１のロック機構４６が第１のレール２６のブロック部４２にロックされるとともに、第２のレール２８の第１の部分Ｘ１が第１のレール２６の前端３８を越えて延在する。例えば、第２のレール２８が第１のレール２６に対して第１の方向Ｄ１に変位された後で第１の所定の位置Ｐ１に到達すると、第１の要素５２は、第１のベース６８の第１の弾性部７２ａによって放たれた弾性エネルギーに反応してブロック部４２の第２の側Ｌ２に到達する。他方、第２の要素５４はブロック部４２の第１の側Ｌ１に到達する。そのため、第１の要素５２及び第２の要素５４はブロック部４２の両側にそれぞれ位置し、第２のレール２８が第１のレール２６に対して不意に変位するのを防止するためにロック状態にある。
【００４１】
図９を参照して、操作部材５０を操作して、第１のロック機構４６をブロック部４２からロック解除することができる。例えば、ユーザーは操作部材５０に力Ｆを加えて操作し、操作部材５０が第１の要素５２及び第２の要素５４を駆動してロック状態Ｓ１からロック解除状態Ｓ２にして第２のレール２８が第１のレール２６に対して第１の所定の位置Ｐ１からさらに変位できるようにすることができる。
【００４２】
第１のロック機構４６がブロック部４２からロック解除されると、図１０に示すように第２のレール２８を第１のレール２６に対して第１の所定の位置Ｐ１から第１の方向Ｄ１に変位させることができる。第２のレール２８が伸長プロセスの所定の段階を経る間、第２のロック機構４８の第３の要素６０のガイド構造８４は第１のレール２６のブロック部４２の第１の側Ｌ１と接触する。
【００４３】
図１１に示すように、第２のレール２８が第１の方向Ｄ１にさらに変位されると、ガイド構造８４とブロック部４２の第１の側Ｌ１との接触により第３の要素６０が所定の角度傾斜する。この傾斜により、第３の要素６０は、第２のベース７０の第３の弾性部７４ａが所定量の弾性エネルギーを溜めるよう第１のレール２６のブロック部４２の第１の側Ｌ１を越えて第１の方向Ｄ１に移動できる。
【００４４】
図１２に示すように、第２のレール２８が第１のレール２６に対して第１の方向Ｄ１にさらに変位された後で第２の所定の位置Ｐ２に到達すると、スライドレールアセンブリ２２は第２の伸長状態になる。第２の伸長状態では、第２のロック機構４８が第１のレール２６のブロック部４２にロックされ、第２のレール２８の第２の部分Ｘ２が第１のレール２６の前端３８を越えて延在する。例えば、第２のレール２８が第１のレール２６に対して第１の方向Ｄ１に変位した後で第２の所定の位置Ｐ２に到達すると、第３の要素６０は、第２のベース７０の第３の弾性部７４ａによって放たれた弾性エネルギーに反応してブロック部４２の第２の側Ｌ２に到達する。他方、第４の要素６２はブロック部４２の第１の側Ｌ１に到達する。そのため、第３の要素６０及び第４の要素６２はブロック部４２の２つの側にそれぞれ位置するとともに、第２のレール２８が第１のレール２６に対して不意に変位するのを防止するためにロック状態Ｓ１にある。
【００４５】
図１３は、第１のレール２６に対して第２のレール２８を引っ込める第１の操作モードを示す。第１の操作モードは、第３の要素６０、第２の要素５４及び第１の要素５２を第３の駆動構造７６ｃ、第２の駆動構造７６ｂ及び第１の駆動構造７６ａのそれぞれを通じて操作できる操作部材５０の使用を伴う。例えば、ユーザーは操作部材５０に力Ｆを加えることで第２のロック機構４８の第３の要素６０及び第１のロック機構４６の第２の要素５４及び第１の要素５２をロック状態Ｓ１からロック解除状態Ｓ２にして、第２のレール２８を第１のレール２６に対して第２の所定の位置Ｐ２から第２の方向Ｄ２に引っ込めることができる。
【００４６】
操作部材５０は、第１のロック機構４６及び第２のロック機構４８を同時に操作して第２のレール２８を第２の所定の位置Ｐ２から引っ込め位置Ｒに第２の方向Ｄ２に引っ込めるようにすることができることが上記から分かる。
【００４７】
図１４は、第１のレール２６に対して第２のレール２８を引っ込める第２の操作モードを示す。
【００４８】
第２の操作モードは、第２のレール２８が第１のレール２６に対して第２の所定の位置Ｐ２にあり、第２のロック機構４８がブロック部４２からロック解除されている場合に適用可能である（図１２参照）。より具体的には、第２のレール２８は第１のレール２６に対して第２の方向Ｄ２に引っ込められ、第２のレール２８が引っ込めプロセスの所定の段階を経る間、第２の要素５４のガイド部位８２はロック状態Ｓ１にある間ブロック部４２の第２の側Ｌ２と接触する。
【００４９】
図１５に示すように第２のレール２８が第１のレール２６に対して第２の方向Ｄ２にさらに変位されると、ガイド部位８２とブロック部４２の第２の側Ｌ２との間の接触により第２の要素５４が所定の角度傾斜するため、ロック解除状態Ｓ２になる。したがって、第２の要素５４は第１のレール２６のブロック部４２の第２の側Ｌ２を越えて第２の方向Ｄ２に移動でき、その結果、第１のベース６８の第２の弾性部７２ｂは所定量の弾性エネルギーを蓄える。
【００５０】
図１６及び図１７に示すように、第２のレール２８が第１のレール２６に対して第２の方向Ｄ２にさらに変位されると、第２の要素５４はブロック部４２の第２の側Ｌ２に移動してブロック部４２の第１の側Ｌ１に到達する。このプロセスの間、第１のベース６８の第２の弾性部７２ｂは蓄えた弾性エネルギーを放って、第２の要素５４をロック状態Ｓ１に戻す。他方、第１の要素５２はロック状態Ｓ１にある間に第２のガイド部８０を通じてブロック部４２の第２の側Ｌ２と接触する。さらに、第１の要素５２は、第２のガイド部８０とブロック部４２の第２の側Ｌ２との間の接触により所定の角度傾斜するためロック解除状態Ｓ２になる。ロック解除状態Ｓ２では、第１の要素５２はブロック部４２の第２の側Ｌ２を越えて移動できる。上述した動作は第２のレール２８を第１のレール２６に対して第２の方向Ｄ２に引っ込める場合にも同じように作用する。
【００５１】
上記によれば、本願で開示したスライドレールアセンブリは下記の特徴を有することが好ましい。
【００５２】
１）開示したスライドレールアセンブリ２２は２段ロック機構を有するため、第２のレール２８が第１のレール２６に対して第２の所定の位置Ｐ２にある間、ユーザーは、第１の操作モードを用いて、即ち、操作部材５０で第１のロック機構４６及び第２のロック機構４８をロック状態からロック解除状態に同時に駆動させることにより第２のレール２８を第１のレール２６に対して第２の所定の位置Ｐ２から第２の方向Ｄ２に引っ込めることができる。
【００５３】
２）第２のレール２８が第１のレール２６に対して第２の所定の位置Ｐ２にある間、ユーザーは第２の操作モードを採用して第２のレール２８を第１のレール２６に対して第２の所定の位置Ｐ２から第２の方向Ｄ２に引っ込めることもできる。そのために、操作部材５０を通じて第２のロック機構４８を予めブロック部４２からロック解除する。そして、第２のレール２８は第２の方向Ｄ２に引っ込められ、第２のレール２８が引っ込めプロセスの所定の段階を経る間、第１のロック機構４６の第２の要素５４及び第１の要素５２は、ガイド部位８２及び第２のガイド部８０により連続的にブロック部４２を越えて移動する。そのため、第２のレール２８を第１のレール２６に対して第２の方向Ｄ２にさらに引っ込めることができる。
【００５４】
前述の好ましい実施形態を通じて本発明を開示してきたが、これらの実施形態は本発明の範囲を限定することを意図したものではない。出願人が保護を求める特許の保護範囲は添付の特許請求の範囲によって定義される。
【符号の説明】
【００５５】
２０  物体
２４  ラック
２６  第１のレール
２８  第２のレール
３０  第３のレール
３２  ブラケット
３４  第１の通路
３６  第２の通路
３８  前端
４０  後端
４２  ブロック部
４４  付属部品
４６  第１のロック機構
４８  第２のロック機構
５０  操作部材
５２  第１の要素
５４  第２の要素
５６  第１のシャフト
５８  第２のシャフト
６０  第３の要素
６２  第４の要素
６４  第３のシャフト
６６  第４のシャフト
６８  第１のベース
７０  第２のベース
７２  弾性部
７４  弾性部
７６  駆動構造
７８  第１のガイド部
８０  第２のガイド部
８２  ガイド部位
８４  ガイド構造
【図１】
2019093103.tif 000003
【図２】
2019093103.tif 000004
【図３】
2019093103.tif 000005
【図４】
2019093103.tif 000006
【図５】
2019093103.tif 000007
【図６】
2019093103.tif 000008
【図７】
2019093103.tif 000009
【図８】
2019093103.tif 000010
【図９】
2019093103.tif 000011
【図１０】
2019093103.tif 000012
【図１１】
2019093103.tif 000013
【図１２】
2019093103.tif 000014
【図１３】
2019093103.tif 000015
【図１４】
2019093103.tif 000016
【図１５】
2019093103.tif 000017
【図１６】
2019093103.tif 000018
【図１７】
2019093103.tif 000019